(57)【特許請求の範囲】
【請求項１】
張出屋根部を含んで形成される建物の陸屋根に敷き板部材が設けられており、その敷き板部材の上面に水勾配面が設けられている建物の水勾配構造であって、
前記建物の躯体に連結される第１フレームと、
前記敷き板部材を下方から支持する第２フレームと、
前記第１フレームを下側、前記第２フレームを上側としてこれら両フレームを連結する複数のブラケットと、
を有してなるフレームアセンブリを備え、
前記複数のブラケットは、上下方向に延びる縦板部と、その縦板部に直交する方向に延びる横板部とをそれぞれ有し、前記縦板部が、前記第１フレーム及び前記第２フレームのうち一方のフレームの側面部に所定の上下方向の重ね代で固定されるとともに、前記横板部が、他方のフレームの上面部又は下面部に当接した状態で固定されており、
前記フレームアセンブリにおいて前記縦板部における前記重ね代が前記複数のブラケットで各々定められており、その重ね代に応じて前記水勾配面に所定の水勾配が形成されており、
前記第１フレームは、前記建物の外壁よりも外側に張り出して設けられる片持ち梁部材を含み、
前記敷き板部材は、前記片持ち梁部材の前記外壁側の基端部よりも建物側に延びる延出部分を有し、
前記敷き板部材の延出部分が、前記外壁よりも内側の屋根受け小梁の上側に載置されて設けられていることを特徴とする建物の水勾配構造。
【請求項２】
前記フレームアセンブリにおいて、前記第１フレームと前記第２フレームとは互いに交差して設けられており、前記第２フレームには前記第１フレームとの交差点に前記ブラケットが設けられていることを特徴とする請求項１に記載の建物の水勾配構造。
【請求項３】
前記第２フレームは、前記片持ち梁部材に対して交差しかつ架け渡された状態で設けられていることを特徴とする請求項１又は２に記載の建物の水勾配構造。
【請求項４】
前記建物は、床及び天井の大梁と柱とからなる鉄骨ラーメン構造の建物ユニットを複数用いて構築されたユニット式建物であり、
前記片持ち梁部材は、前記建物ユニットの外壁部となる位置に、前記大梁に対して屋外側に張り出すように連結されていることを特徴とする請求項１乃至３のいずれかに記載の建物の水勾配構造。
【請求項５】
前記第２フレームは、その長手方向に分割されてなる複数の梁材よりなり、それら各梁材同士がそれぞれ異なる傾斜角度を有する状態で連結プレートにより互いに連結されており、
前記複数のブラケットは、前記縦板部が前記第２フレームの側面部に固定され、かつ前記第２フレームとの重ね代が各自調整されているとともに、前記横板部が同一の高さ位置に並ぶようにして配置されていることを特徴とする請求項１乃至４のいずれか１項に記載の建物の水勾配構造。
【請求項６】
前記敷き板部材は、複数の板材に分割されて前記第２フレームの上方に敷設されるものを含み、
前記複数の板材として、板厚の違いによりその上面の勾配方向が互いに異なるものを有していることを特徴とする請求項１乃至５のいずれか１項に記載の建物の水勾配構造。
【発明の詳細な説明】
【技術分野】
【０００１】
本発明は、建物屋外の屋根面やバルコニ床面等に水勾配面を形成するための建物の水勾配構造に関するものである。
【背景技術】
【０００２】
従来より、住宅等の建物において、陸屋根の上面に水勾配を形成するための各種技術が提案されている。例えば、屋根材を支持するための支持金物として各々高さ寸法の異なる複数種類の支持金物を用い、それにより屋根材に勾配を付ける技術が知られている（特許文献１参照）。より具体的には、建物の小屋梁に複数の母屋材が連結されるとともに、その母屋材の上に各々高さ寸法の異なる複数種類の支持金物が固定され、その複数種類の支持金物の上に屋根材が支持される構成となっている。
【先行技術文献】
【特許文献】
【０００３】
【特許文献１】特開平８−４１８７号公報
【発明の概要】
【発明が解決しようとする課題】
【０００４】
しかしながら、上記構成において、高さ寸法の各々異なる複数種類の支持金物を用意することは製造コストの観点からして望ましくないと考えられる。また、複数種類の支持金物を用い、さらにそれらの支持金物を母屋材（建物の躯体）に各々固定することを考えると、建物施工の作業性にも優れていないという不都合があった。
【０００５】
本発明は、上記事情に鑑みてなされたものであり、水勾配を簡易に形成することができる建物の水勾配構造を提供することを主たる目的とするものである。
【課題を解決するための手段】
【０００６】
以下、上記課題を解決するのに有効な手段等につき、必要に応じて作用、効果等を示しつつ説明する。
【０００７】
第１の発明は、建物の屋外部分に敷き板部材が設けられており、その敷き板部材の上面に水勾配面が設けられている建物の水勾配構造であって、
前記建物の躯体に連結される第１フレームと、
前記敷き板部材を下方から支持する第２フレームと、
前記第１フレームを下側、前記第２フレームを上側としてこれら両フレームを連結する複数のブラケットと、
を有してなるフレームアセンブリを備え、
前記複数のブラケットは、上下方向に延びる縦板部と、その縦板部に直交する方向に延びる横板部とをそれぞれ有し、前記縦板部が、前記第１フレーム及び前記第２フレームのうち一方のフレームの側面部に所定の上下方向の重ね代で固定されるとともに、前記横板部が、他方のフレームの上面部又は下面部に当接した状態で固定されており、
前記フレームアセンブリにおいて前記縦板部における前記重ね代が前記複数のブラケットで各々定められており、その重ね代に応じて前記水勾配面に所定の水勾配が形成されていることを特徴とする。
【０００８】
上記構成では、フレームアセンブリにおいて第１フレームに対する第２フレームの高さ位置が複数のブラケットにより調整されるようになっており、それにより水勾配面に所定の水勾配が形成されるようになっている。この場合、複数のブラケットはそれぞれ、縦板部が、第１フレーム及び第２フレームのうち一方のフレームの側面部に所定の重ね代をもって固定されており、これら各重ね代を水勾配に応じて各々調整することにより、所望の水勾配を形成することができる。つまり、同一構成のブラケットを使用して、所望の水勾配を形成することができるようになっている。これにより、第１フレームに対する第２フレームの高さの違いに応じて各々異なるブラケットを用いることをしなくてもよくなり、その点、製造コストの上昇が抑えられる。また、所定の水勾配に応じて傾斜して設けられる第２フレームは、第１フレームと共にフレームアセンブリとして設けられているため、建物施工時には、少なくともフレームアセンブリを含むユニット体を建物の躯体に対して取り付ける作業を行えばよく、建物施工の作業性が向上することとなる。以上により、建物の屋外面において水勾配を簡易に形成することができるようになる。
【０００９】
第２の発明は、前記フレームアセンブリにおいて、前記第１フレームと前記第２フレームとは互いに交差して設けられており、前記第２フレームには前記第１フレームとの交差点に前記ブラケットが設けられていることを特徴とする。
【００１０】
上記構成によれば、互いに交差して設けられる第１フレームと第２フレームとがブラケットにより相互に連結されてフレームアセンブリが構成されている。この場合、ブラケットは、フレームアセンブリのフレーム結合と水勾配面の勾配調整との両方の役目を担うものとなっており、部材の兼用化を実現できる。つまり、フレーム結合用の部材と勾配調整用の部材とを各々個別に設けることが不要となっている。
【００１１】
第３の発明は、前記第１フレームは、前記建物の外壁よりも外側に張り出して設けられる片持ち梁部材を含むものであり、前記第２フレームは、前記片持ち梁部材に対して交差しかつ架け渡された状態で設けられていることを特徴とする。
【００１２】
上記構成によれば、屋根や屋外床（バルコニ床）を、建物の外壁よりも外側に張り出した片持ち構造にして設けられることができ、その屋根や屋外床の上面において所望とする水勾配を簡易に設けることができる。
【００１３】
第４の発明は、前記建物は、床及び天井の大梁と柱とからなる鉄骨ラーメン構造の建物ユニットを複数用いて構築されたユニット式建物であり、前記片持ち梁部材は、前記建物ユニットの外壁部となる位置に、前記大梁に対して屋外側に張り出すように連結されていることを特徴とする。
【００１４】
鉄骨ラーメン構造の建物ユニットを複数用いて構築されたユニット式建物は剛性が高い。したがって、上記のとおり建物ユニットの大梁に片持ち梁部材が連結される構成は、建物の外壁よりも外側に張り出して屋根や屋外床（バルコニ床）を設ける上で好適である。
【００１５】
第５の発明は、前記第２フレームは、その長手方向に分割されてなる複数の梁材よりなり、それら各梁材同士がそれぞれ異なる傾斜角度を有する状態で連結プレートにより互いに連結されており、前記複数のブラケットは、前記縦板部が前記第２フレームの側面部に固定され、かつ前記第２フレームとの重ね代が各自調整されているとともに、前記横板部が同一の高さ位置に並ぶようにして配置されていることを特徴とする。
【００１６】
上記構成によれば、第２フレームの長手方向において同フレームを山形や谷形等の形状に折り曲げた状態にでき、屋根面や屋外床面における水勾配の方向（排水の方向）を両流れや中央流れなど、任意に設定することができる。
【００１７】
ここで、上記のように屋根や屋外床（バルコニ床）を片持ち構造にする場合には、片持ち梁部材（第１フレーム）を短手方向、第２フレームを長手方向とする構成が想定され、かかる構成においては長手方向の両側に排水できる構成となる。
【００１８】
第６の発明は、前記敷き板部材は、複数の板材に分割されて前記第２フレームの上方に敷設されるものを含み、前記複数の板材として、板厚の違いによりその上面の勾配方向が互いに異なるものを有していることを特徴とする。
【００１９】
上記の水勾配構造では、第１フレームに対する第２フレームの高さ調整により水勾配面に水勾配を設定できることに加え、断熱材等からなる葺き板部材（複数の板材）の板厚の違いによっても水勾配面に水勾配を設定できる。この場合、第２フレームの高さ調整による水勾配の傾斜方向と、葺き板部材の板厚の違いによる水勾配の傾斜方向とを各々別に設定することにより、屋根面や屋外床面において排水の方向を多様に設定でき、設計の自由度を高めることができる。この場合、雨水等を好適に排水ポートに導くことが可能となる。
【図面の簡単な説明】
【００２０】
【図１】張出屋根部の構成を説明するための断面図。
【図２】張出屋根部の構成を説明するための断面図。
【図３】張出屋根部の構成を説明するための断面図。
【図４】屋根ユニットの主要な構成を分解して示す分解斜視図。
【図５】建物の概略を示す斜視図。
【図６】（ａ）は、断熱材において各断熱板片の上面における傾斜方向を示す図、（ｂ）は、フレームアセンブリにおけるフレーム傾斜方向を示す図。
【図７】（ａ）は、断熱材において各断熱板片の上面における傾斜方向を示す図、（ｂ）は、フレームアセンブリにおけるフレーム傾斜方向を示す図。
【図８】（ａ）は、断熱材において各断熱板片の上面における傾斜方向を示す図、（ｂ）は、フレームアセンブリにおけるフレーム傾斜方向を示す図。
【図９】（ａ）は、断熱材において各断熱板片の上面における傾斜方向を示す図、（ｂ）は、フレームアセンブリにおけるフレーム傾斜方向を示す図。
【図１０】図９の構成をより具体的に示す図。
【図１１】図１０の構成の変形例を示す図。
【図１２】フレームアセンブリの変形例を示す図。
【発明を実施するための形態】
【００２１】
以下、本発明を具体化した一実施形態を図面に基づいて説明する。本実施形態では、複数の建物ユニットにより構築される二階建てのユニット式建物での具体化を想定しており、その上階部分における張出屋根部分に、本発明の建物の水勾配構造を適用することとしている。
【００２２】
建物の概略を説明すると、図５に示すように、建物１０は、複数の建物ユニットからなる一階部１１と、同じく複数の建物ユニットからなる二階部１２とを有し、その二階部１２の上方には、フラットルーフ（陸屋根）タイプの屋根部１３が設けられている。屋根部１３には、その周縁部においてパラペット１４が設けられている。また、屋根部１３の一部は、建物１０の一側面において二階部１２の外壁よりも外側に張り出しており、それが張出屋根部１５となっている。張出屋根部１５は、屋根張出方向（建物外壁に直交する方向）が短辺、それに直交する方向（建物外壁に平行となる方向）が長辺となる長尺状をなすものとなっている。
【００２３】
ちなみに、建物ユニットについては周知であるため、同ユニットの図示は省略するが、その構成を簡単に説明すると、建物ユニットは、鉄骨ラーメン構造を有するものであり、各々長方形状に組まれた床大梁及び天井大梁と、それら各大梁の四隅に配設されて床大梁と天井大梁とを連結する４本の柱とを備え、これら床大梁、天井大梁及び柱により直方体状の骨格が形成されている。床大梁及び天井大梁は断面コ字状の溝形鋼よりなり、柱は四角筒状の角形鋼よりなる。そして、建物ユニットの床部には、床小梁に支持された状態で床面材が設けられ、天井部には、天井小梁に支持された状態で天井面材が設けられている。また、外壁部には、外壁面材と下地フレームとを有してなる外壁パネルが複数並べて設けられている。
【００２４】
次に、張出屋根部１５の詳細な構成を説明する。図１〜図４は、張出屋根部１５の構成を説明するための断面図であり、図１は図５におけるＡ−Ａ線断面図であり、図２は図５におけるＢ−Ｂ線断面図である。また、図３は、張出屋根部１５を構築するための屋根ユニット４０を建物から離して示す断面図であり、図４は、屋根ユニット４０の主要な構成を分解して示す分解斜視図である。
【００２５】
図１においては、ラインＤＬが建物１０の外周面を規定するラインであり、そのラインＤＬよりも右側が二階部１２の建物ユニットに相当する部分、同ラインＤＬよりも左側が張出屋根部１５となっている。なお、建物ユニット側の構成として、天井大梁２１には、その屋外側に外壁パネル２２が組み付けられるとともに、外壁パネル２２の屋内側に断熱材や内壁面材からなる内壁部２３が設けられている。また、天井大梁２１には、天井小梁や天井面材からなる天井部２４が組み付けられている。さらに、天井大梁２１には、天井部２４の上方に、ブラケット（アングル材）２６を介して屋根受け小梁２７が組み付けられており、その屋根受け小梁２７の上に、野地板２８や断熱材２９、屋根シート３０等からなる陸屋根部３１が設けられている。断熱材２９は例えばポリスチレンフォームからなる硬質系断熱材である。屋根シート３０は例えば軟質ポリ塩化ビニル製シート（ＤＮシート）である。
【００２６】
張出屋根部１５は、図３に示すように、建物ユニットの二階部１２に対して屋根ユニット４０が取り付けられることで構成されており、屋根ユニット４０は、天井大梁２１に固定された連結部材であるブラケット３３に対して連結されている。より具体的には、ブラケット３３は、天井大梁２１のウエブ外側面に溶接等により固定されており、そのブラケット３３に対して屋根ユニット４０（詳しくは後述の連結プレートＰＬ）がネジ等の締結手段３４により連結されている。ブラケット３３は、外壁パネル２２の外壁面材に形成された開口部に設けられており、ブラケット３３の外側面は外壁面材と略面一になっている。
【００２７】
屋根ユニット４０は、同ユニットの骨格となる構成としてフレームアセンブリ４１を備えている。フレームアセンブリ４１の構成については図４を併せ参照されたい。このフレームアセンブリ４１は、建物ユニット側（建物躯体としての天井大梁２１）に連結される部位である第１フレームとしての下側フレーム４２と、その上面側に設けられる第２フレームとしての上側フレーム４３とを有している。この場合、下側フレーム４２は、屋根部張出方向（図１に示す天井大梁２１に直交する方向）に延びる複数のフレーム材４２ａと、それに直交する方向に延びフレーム材４２ａの一端側（屋根先端側）に設けられるフレーム材４２ｂとが互いに連結されて構成されている。このうちフレーム材４２ａが、建物の外壁よりも外側に張り出して設けられる片持ち梁部材に相当する。これら各フレーム材４２ａ，４２ｂは溝形鋼よりなる。なお、下側フレーム４２において、フレーム材４２ａの屋根基端側の端部に連結プレートＰＬが溶接等により固定されており、その連結プレートＰＬによって屋根ユニット４０が天井大梁２１に連結されている。
【００２８】
また、上側フレーム４３は、屋根張出方向に直交する方向に延びる向きで複数設けられるものであり、勾配調整用の支持部材であるブラケット４４を介して下側フレーム４２に取り付けられている。この場合、下側フレーム４２のフレーム材４２ａと上側フレーム４３とは互いに交差して設けられており、上側フレーム４３の下面側には、下側フレーム４２（フレーム材４２ａ）との交差位置にそれぞれブラケット４４が設けられている。言い換えれば、上側フレーム４３には、複数のフレーム材４２ａ（片持ち梁部材）の設置間隔と同じ間隔でブラケット４４がそれぞれ設けられている。そして、上側フレーム４３とブラケット４４との上下方向の重なり量（重ね代）を変更することにより、下側フレーム４２に対する上側フレーム４３の高さ方向の位置が各々調整できるものとなっている。
【００２９】
より具体的には、上側フレーム４３は、横断面が矩形状をなす角形鋼よりなる。また、ブラケット４４は、横断面がコ字状をなす形綱よりなり、上側フレーム４３の側面部に重なり合う一対の縦板部４４ａと、その一対の縦板部４４ａの下端部に設けられる横板部４４ｂとを有する。そして、ブラケット４４の開口を上向きとしてその開口に上側フレーム４３が挿し入れられた状態とされ、その状態でそれら両者が溶接等により互いに接合されている。この場合、それら両者が重なっている部分の重なり代、別の言い方をすれば、上側フレーム４３の底部下面とブラケット４４の底部上面との間の隙間高さ（図１のＨ１，Ｈ２）を各ブラケット４４で相違させることにより、複数の上側フレーム４３について各上側フレーム４３で上面高さ位置を相違させたり、同一の上側フレーム４３についてその長手方向で上面高さ位置を相違させたりすることが可能となっている。
【００３０】
上側フレーム４３の下側フレーム４２への組付け構造としては、上側フレーム４３の下面側に固定されたブラケット４４の横板部４４ｂを下側フレーム４２の上面に載せた状態とし、その状態で下側フレーム４２と横板部４４ｂとをネジ等の締結手段により互いに固定するようにしている。
【００３１】
本実施形態では、張出屋根部１５における水勾配の傾斜方向を、張出屋根部１５の基端側から先端側に向けて下方に傾斜する方向としている（水勾配＝１／１００）。そして、その構成を実現すべく、屋根張出方向に並ぶ複数（本実施形態では２本）の上側フレーム４３について、上側フレーム４３とブラケット４４との間の隙間高さを、図１に示すとおり「張出基端側の隙間高さＨ１＞張出先端側の隙間高さＨ２」としている。つまり、張出基端側の上側フレーム４３の上面を、張出先端側の上側フレーム４３の上面よりも高い位置としている。
【００３２】
また、フレームアセンブリ４１の上側フレーム４３の上には野地板４６と断熱材４７とが上下に積層された状態で固定されている。この場合、野地板４６は、フレームアセンブリ４１の上側フレーム４３の上面に載置された状態で固定されている。野地板４６、断熱材４７は、それぞれ陸屋根部３１の野地板２８、断熱材２９と同材質のものであり、その厚み寸法も同じである。
【００３３】
図１に示す張出屋根部１５の設置状態では、張出屋根部１５の断熱材４７の上面と陸屋根部３１の断熱材２９の上面とが同一平面で連続しており、水勾配の向き及び勾配角度も同じである。また、それら断熱材４７，２９の上に、陸屋根部３１から連続して屋根シート３０等が敷設されている。
【００３４】
野地板４６と断熱材４７とに関してより詳しくは、図４に示すように、フレームアセンブリ４１の上に、屋根長手方向に分割された複数の野地板片を並べて配置することで野地板４６が設けられている。さらに、野地板４６の上に、屋根長手方向及び屋根短手方向にそれぞれ分割された複数の断熱板片を並べて配置することで断熱材４７が設けられている。なお、図４中の符号４８は、断熱材４７の目地（境界）部分を補強する目地補強材である。
【００３５】
断熱材４７において複数の断熱板片には、それ自身の厚みが不均等な勾配断熱板片４７ａが含まれており、この勾配断熱板片４７ａは、屋根張出方向の先端側に配設されている。つまり、複数の断熱板片において勾配断熱板片４７ａとそれ以外とでは板厚の違いによりその勾配方向が互いに異なるものとなっている（勾配断熱板片４７ａ以外は、板厚が均等である）。
【００３６】
また、複数の断熱板片のうち１つは、排水ポートの下に敷かれる排水ポート下用の断熱板片４７ｂとなっている。つまり、図２に示すように、屋根ユニット４０の長手方向一端側には屋根上の雨水等を排出するための排水ポート（排水桶）５１が設けられており、その排水ポート５１の下に、他よりも薄肉の断熱板片４７ｂが敷設されている。図２において、符号５２は、排水ポート５１から外部への排水を行うための配水管であり、この配水管５２は建物側方に設けられた縦樋（図示略）に接続されている。
【００３７】
また、屋根ユニット４０は、そのユニット周縁部の三方を囲むようにして設けられるパラペット壁部５５を備えている。このパラペット壁部５５は、建物ユニット上方に設けられるパラペット１４（図５参照）連続しており、張出屋根部１５を含む屋根部１３の全体として一連のパラペットを形成するものとなっている。パラペット壁部５５は、フレームアセンブリ４１の下側フレーム４２を囲むようにして設けられるパラペットフレーム５６と、その外側に固定される外板５７と、パラペットフレーム５６の上端部に被せて設けられる笠木５８とを備えている。なお、パラペットフレーム５６、外板５７の概要は図４に示すとおりである。
【００３８】
また、屋根ユニット４０において、フレームアセンブリ４１の下方には軒天板６１が取り付けられている。詳しくは、フレームアセンブリ４１の下側フレーム４２には、その下面側に軒天下地木６２がビス等により取り付けられており、その軒天下地木６２の下面側に軒天板６１が取り付けられている。その他、符号６３は、パラペット壁部５５と軒天板６１との見切り（境界）部分を隠す見切り材である。
【００３９】
なお、図３に示すとおり、張出屋根部１５は、建物ユニットの二階部１２に対して屋根ユニット４０が取り付けられることで構成されているが、屋根ユニット４０の取付時には、軒天板６１を装着していない状態でユニット取付作業を行い、そのユニット取付後に、軒天板６１の取付作業を行うようにするとよい。これにより、ブラケット３３に対する屋根ユニット４０のネジ締結作業を容易に実施できる。
【００４０】
ここで、屋根ユニット４０における水勾配の形態について図６を用いて補足する。図６の（ａ）は、断熱材４７において各断熱板片の上面における傾斜方向を示す図であり、（ｂ）は、フレームアセンブリ４１におけるフレーム傾斜方向を示す図である。
【００４１】
図６に示す構成では、図１で説明したとおり、フレームアセンブリ４１において張出基端側の上側フレーム４３の上面を、張出先端側の上側フレーム４３の上面よりも高い位置としており、フレームアセンブリ４１の傾斜方向は図の矢印Ａ１に示す方向となっている。
【００４２】
また、断熱材４７の上面の傾斜方向は基本的にはフレーム傾斜方向と同じ方向（Ａ１方向）であるが、張出屋根部１５の張出先端部は、勾配断熱板片４７ａ自体が張出屋根部１５の長手方向（Ａ１方向に直交する方向）に水勾配を有していることから、その上面の傾斜方向が張出屋根部１５の長手方向（Ａ１方向に直交する方向）となっている（なお、図６に示す構成では便宜上、図４と比べて、勾配断熱板片４７ａの傾斜方向が異なるものとしている）。つまり、勾配断熱板片４７ａは、上側フレーム４３の長手方向（屋根張出方向に直交する方向）に厚みが相違しており、その水勾配は１／２７０である。これにより、張出屋根部１５の屋根面上に存在する雨水等は、張出屋根部１５の張出先端側に流れるとともに、その張出先端部において同先端部に沿って流れ、順々に排水ポート５１に導かれるようになっている。
【００４３】
以上詳述した本実施形態によれば、以下の優れた効果が得られる。
【００４４】
屋根ユニット４０のフレームアセンブリ４１において、下側フレーム４２と上側フレーム４３とを勾配調整用の複数のブラケット４４を介して連結する構成とし、下側フレーム４２に対する上側フレーム４３の高さ位置を複数のブラケット４４により調整することで、張出屋根部１５の屋根面（水勾配面）に所定の水勾配を形成するようにした。かかる構成では、複数のブラケット４４はそれぞれ、縦板部４４ａが上側フレーム４３の側面部に所定の重ね代をもって固定されており、これら各重ね代を水勾配に応じて各々調整することにより、所望の水勾配を形成することができる。つまり、同一構成のブラケットを使用して、所望の水勾配を形成することができるようになっている。これにより、下側フレーム４２に対する上側フレーム４３の高さの違いに応じて各々異なるブラケットを用いることをしなくてもよくなり、その点、製造コストの上昇が抑えられる。また、両フレーム４２，４３を一体化してフレームアセンブリ４１として設けたため、建物施工時には建物の躯体に対してフレームアセンブリ４１を取り付ける作業を行えばよく、建物施工の作業性が向上することとなる。以上により、建物の屋外面において水勾配を簡易に形成することができるようになる。
【００４５】
フレームアセンブリ４１と、その上の敷き板部材（野地板４６及び断熱材４７）と、パラペット壁部５５とを一体化（ユニット化）してそれを屋根ユニット４０とするとともに、その屋根ユニット４０を建物ユニットの天井大梁２１に対して連結することで、建物の張出屋根部１５を構成した。かかる構成では、建物施工現場での施工作業の一層の簡易化を実現することができる。
【００４６】
フレームアセンブリ４１において下側フレーム４２と上側フレーム４３とを互いに交差して設け、それらフレーム４２，４３の交差点にブラケット４４を配置する構成とした。この場合、ブラケット４４は、フレームアセンブリ４１のフレーム結合と水勾配面の勾配調整との両方の役目を担うものとなっており、部材の兼用化を実現できる。つまり、フレーム結合用の部材と勾配調整用の部材とを各々個別に設けることが不要となっている。
【００４７】
下側フレーム４２のフレーム材４２ａを片持ち梁部材として用い、建物ユニットに屋根ユニット４０を片持ち支持させる構成とした。この場合、建物ユニットは鉄骨ラーメン構造を有しており、その剛性は高いものとなっている。したがって、上記のとおり建物ユニットの大梁に片持ち梁部材が連結される構成は、建物の外壁よりも外側に張り出して張出屋根部１５を設ける上で好適である。
【００４８】
敷き板部材としての断熱材４７は、複数の断熱板片に分割されて上側フレーム４３の上方に敷設されるようになっており、複数の断熱板片としては、板厚の違いによりその勾配方向が互いに異なるもの（勾配断熱板片４７ａ）を含んでいる。かかる構造では、下側フレーム４２に対する上側フレーム４３の高さ調整により水勾配面に水勾配を設定できることに加え、断熱材４７（断熱板片）の板厚の違いによっても水勾配面に水勾配を設定できる。この場合、上側フレーム４３の高さ調整による水勾配の傾斜方向と、断熱材４７の板厚の違いによる水勾配の傾斜方向とを各々別に設定することにより、屋根面において排水の方向を多様に設定でき、設計の自由度を高めることができる。この場合、雨水等を好適に排水ポートに導くことが可能となる。
【００４９】
屋根ユニット４０における水勾配の形態を図７〜図９のように変更してもよい。これら各図では、上述の図６と同様に、（ａ）は、断熱材４７において各断熱板片の上面における傾斜方向を示す図であり、（ｂ）は、フレームアセンブリ４１におけるフレーム傾斜方向を示す図である。以下、図６に示す構成との相違点を中心に説明する。
【００５０】
図７に示す構成では、図６で説明した構成とは逆に、フレームアセンブリ４１において張出基端側の上側フレーム４３の上面を、張出先端側の上側フレーム４３の上面よりも低い位置としており、フレームアセンブリ４１の傾斜方向は図の矢印Ａ２に示す方向となっている。また、断熱材４７の上面の傾斜方向もフレーム傾斜方向と同じ（Ａ２方向）となっている。この場合、張出屋根部１５の屋根面上に存在する雨水等は、張出屋根部１５の張出先端側から張出基端側に流れることとなる。
【００５１】
また、図８に示す構成では、フレームアセンブリ４１において各上側フレーム４３の上面を、その長手方向に沿って傾斜させるようにしており、フレームアセンブリ４１の傾斜方向は図の矢印Ａ３に示す方向となっている。この場合、上側フレーム４３ごとに設けられる各３つのブラケット４４について、それぞれ上側フレーム４３の底部下面とブラケット４４の底部上面との間の隙間高さを相違させることにより、同一の上側フレーム４３についてその長手方向で上面高さ位置を相違させるようにしている。また、断熱材４７の上面の傾斜方向もフレーム傾斜方向と同じ（Ａ３方向）となっている。この場合、張出屋根部１５の屋根面上に存在する雨水等は、張出屋根部１５の長手方向一側から他側に流れることとなる。
【００５２】
また、図９に示す構成では、フレームアセンブリ４１において各上側フレーム４３の上面を、山形（ヘ字状）に傾斜させるようにしており、フレームアセンブリ４１の傾斜方向は図の矢印Ａ４，Ａ５に示す両方向となっている。この場合、断熱材４７の上面は山形に二方向に傾斜したものとなる。かかる構成についてより具体的には、図１０に示すように、上側フレーム４３は、その長手方向に分割されてなる複数の梁材よりなり、それら各梁材同士がそれぞれ異なる傾斜角度（正負逆の傾斜角度）を有する状態で連結プレート７１により互いに連結されている。そして、複数のブラケット４４は、上側フレーム４３との重ね代が各自調整され、かつその下面（横板部４４ｂ）が同一の高さ位置に並ぶようにして上側フレーム４３に対して取り付けられている。
【００５３】
上記構成によれば、上側フレーム４３の長手方向において同フレーム４３を山形（ヘ字状）に折り曲げた状態にでき、屋根面における水勾配の方向（排水の方向）を両流れにすることができる。
【００５４】
図１０に示す構成の変形例として、図１１（ａ）に示すように、フレームアセンブリ４１において各上側フレーム４３の上面を、谷形（逆ヘ字状）に傾斜させるようにしてもよい。この場合、断熱材４７の上面は谷形に二方向に傾斜したものとなる。また、図１１（ｂ）に示すように、フレームアセンブリ４１において各上側フレーム４３の上面を、同じ傾斜方向としつつも、その傾斜角度（水勾配）がフレーム長手方向で異なるようにしてもよい。その他、図１０に示す構成と、図１１（ａ）に示す構成とを組み合わせ、山部と谷部とを共に有するようにすることも可能である。
【００５５】
［他の実施形態］
本発明は上記実施形態の記載内容に限定されず、例えば次のように実施されてもよい。
【００５６】
・上記実施形態では、フレームアセンブリ４１において、複数のブラケット４４を、縦板部４４ａが、上側フレーム４３の側面部に所定の重ね代で固定されるとともに、横板部４４ｂが、下側フレーム４２の上面部に当接した状態で固定されるようにして設けたが、この構成を図１２に示すように変更してもよい。図１２では、フレームアセンブリ４１において、複数のブラケット４４を、縦板部４４ａが、下側フレーム４２の側面部に所定の重ね代で固定されるとともに、横板部４４ｂが、上側フレーム４３の下面部に当接した状態で固定されるようにして設けている。かかる構成においても、上記同様、上側フレーム４３に所望の水勾配に応じた傾斜を持たせることができる。
【００５７】
・上記実施形態では、張出屋根部１５の屋根面を水勾配面とし、その屋根面に水勾配を形成する構成について説明したが、これに代えて、張出床部を有する建物においてその張出床部の床面に水勾配を形成する構成であってもよい。例えば、建物に設けられたバルコニにおいて、そのバルコニ床を張出床部として構成する。この場合に、張出床部を、上記の屋根ユニット４０と同様に、フレームアセンブリや敷き板部材（床面材）を有してなる床ユニットにより構成するとよい。
【００５８】
・上記実施形態では、張出屋根部１５の設置状態において、張出屋根部１５の断熱材４７の上面と陸屋根部３１の断熱材２９の上面とで、水勾配の向き及び勾配角度を同一としたが（図１参照）、これを変更し、それら両断熱材４７，２９の上面で、水勾配の向き及び勾配角度の少なくともいずれかを相違させる構成としてもよい。例えば、図１において、ラインＤＬよりも左側の張出屋根部１５では左傾斜の水勾配、ラインＤＬよりも右側の陸屋根部３１では右傾斜の水勾配とする構成とする。又は、例えば、水勾配の向きを同じとした上で、ラインＤＬよりも左側の張出屋根部１５では水勾配＝１／５０、ラインＤＬよりも右側の陸屋根部３１では水勾配＝１／１００とする構成とする。
【００５９】
・水勾配が大きい場合には、各ブラケット４４で上側フレーム４３（又は下側フレーム４２）との重ね代の違いが大きくなり、全て同一のブラケットでは所望の水勾配を形成しづらくなる場合も想定される。この場合に、縦板部４４ａの縦寸法が異なる２種類のブラケットを用いることも可能である。ただし本構成においても、基本は同一構成のブラケットを複数箇所で用いることができるため、部品種類の増加は最小限に抑えられる。
【００６０】
・建物の張出部以外での本発明の適用も可能である。例えば、陸屋根部の上に、上記構成の屋根ユニットを設置する構成とする。この場合、屋根ユニットを構成するフレームアセンブリの下側フレーム（第１フレーム）を、建物の躯体としての陸屋根部の屋根フレーム（図１の屋根受け小梁２７）に載せた状態で連結するとよい。
【００６１】
・上記実施形態では、ユニット式建物への適用例を説明したが、本発明が適用できる建物はこれに限らず、他の鉄骨系の建物や木造在来工法など、上記以外の建物に適用することも可能である。
【符号の説明】
【００６２】
１０…建物、１５…張出屋根部、２１…天井大梁、４０…屋根ユニット、４１…フレームアセンブリ、４２…下側フレーム（第１フレーム）、４２ａ…フレーム材（片持ち梁部材）、４３…上側フレーム（第２フレーム）、４４…ブラケット、４４ａ…縦板部、４４ｂ…横板部、４６…野地板（敷き板部材）、４７…断熱材（敷き板部材）、７１…連結プレート。
【図１】
0005917882.tif 000002
【図２】
0005917882.tif 000003
【図３】
0005917882.tif 000004
【図４】
0005917882.tif 000005
【図５】
0005917882.tif 000006
【図６】
0005917882.tif 000007
【図７】
0005917882.tif 000008
【図８】
0005917882.tif 000009
【図９】
0005917882.tif 000010
【図１０】
0005917882.tif 000011
【図１１】
0005917882.tif 000012
【図１２】
0005917882.tif 000013